(57)【要約】【課題】貯湯式温水器の本体に組み込んだ酸素富化装置と、真空ポンプにより構成される酸素供給装置において、真空ポンプの固着防止を目的とする。【解決手段】所定量の加熱水を貯湯するタンク１と、前記タンク１内の貯湯水を利用して浴槽水を供給する風呂管路３と、外装表面に設けた空気給排口５ａ、５ｂおよび前記給排気口５ａ、５ｂより外気を導入排出する吸気ファン５および導入外気を通過する過程で酸素を選択的に抽出する酸素富化膜４を備えた酸素富化装置６と、前記酸素富化装置６で発生する高濃度の酸素を吸引し前記風呂管路３に混入させる真空ポンプ７と、前記真空ポンプ７の停止時間を計測するタイマー手段８とを備え、前記タイマー手段８が計測した真空ポンプ７の停止時間が所定時間以上の時、前記真空ポンプ７を、一定時間駆動させる構成としてある。【選択図】図１
2005265368.tif 000002
【特許請求の範囲】
【請求項１】
所定量の加熱水を貯湯するタンクと、前記タンク内の貯湯水を利用して浴槽水を供給する風呂管路と、外装表面に設けた空気給排口および前記給排気口より外気を導入排出する吸気ファンおよび導入外気を通過する過程で酸素を選択的に抽出する酸素富化膜を備えた酸素富化装置と、前記酸素富化装置で発生する高濃度の酸素を吸引し前記風呂管路に混入させる真空ポンプと、前記真空ポンプの停止時間を計測するタイマー手段とを備え、前記タイマー手段が計測した真空ポンプの停止時間が所定時間以上の時、前記真空ポンプを、一定時間駆動させる構成とした貯湯式温水器。
【請求項２】
所定量の加熱水を貯湯するタンクと、前記タンク内の貯湯水を利用して浴槽水を供給する風呂管路と、外装表面に設けた空気給排口および前記給排気口より外気を導入排出する吸気ファンおよび導入外気を通過する過程で酸素を選択的に抽出する酸素富化膜を備えた酸素富化装置と、前記酸素富化装置で発生する高濃度の酸素を吸引し前記風呂管路に混入させる真空ポンプとを備え、前記真空ポンプは、風呂湯張り時に一定時間駆動させる構成とした貯湯式温水器。
【請求項３】
浴槽に残水があるとき、真空ポンプの一定時間駆動を行わない構成とした請求項１または２記載の貯湯式温水器。
【発明の詳細な説明】
【技術分野】
【０００１】
本発明は、貯湯式温水器の風呂配管を利用して、浴槽内の浴水中に酸素等の気体を供給する機能を有する貯湯式温水器に関するものである。
【背景技術】
【０００２】
従来、この種の酸素供給装置は、ジェットバス等の浴槽水を循環させる管路に気体を供給する供給部を設け、この供給部に酸素富化空気を供給するための酸素富化装置を設けたものがある（例えば、特許文献１参照）。
【特許文献１】特開平４−２３４７号公報
【発明の開示】
【発明が解決しようとする課題】
【０００３】
しかしながら従来において、電気温水器等の貯湯式温水器を熱源とした風呂追い焚き装置に酸素富化装置を設けて構成したものはない。そこで、まず前提となる酸素富化装置を内蔵した貯湯式温水器の構成について図２を用いて説明すると、酸素富化膜４及び酸素富化膜４に空気を導く吸気ファン５を備えた酸素富化装置６と、酸素富化装置６で発生する高濃度の酸素を吸引し風呂管路３に混入させる真空ポンプ７を貯湯タンク１を備えた筐体１ａに内蔵してあり、吸気ファン５で吸い込んだ外気を酸素富化膜４を通過する途中で真空ポンプ７により吸引することで酸素を選択的に抽出し、高濃度の酸素として浴槽水が循環する風呂管路３内に混入させ浴槽２に供給するようにしてある。
【０００４】
上記酸素富化装置を内蔵した貯湯式温水器において、風呂使用時に常時酸素供給運転を行っている場合は問題ないが、必ずしも風呂使用時に酸素供給運転を行われるとは限らず、長期間酸素供給運転を行わないと、真空ポンプ７が固着し起動が遅れたり、最悪の場合起動できない場合が発生する。真空ポンプ７が起動しないと、酸素空気を送り込むことができず、酸素供給運転開始が遅れたり、酸素供給運転ができなくなる課題を有していた。
【０００５】
本発明は、貯湯式温水器に酸素富化装置を内蔵させたときに発生する特有の課題を解決するもので、酸素供給運転の使用頻度にかかわらず、酸素供給運転を確実に行うことができる貯湯式温水器を提供することを目的とするものである。
【課題を解決するための手段】
【０００６】
上記課題を達成するため、本発明の貯湯式温水器は、所定量の加熱水を貯湯するタンクと、前記タンク内の貯湯水を浴槽に供給する風呂回路と、空気給排口を有し内部に高濃度の酸素を発生する酸素富化膜及び前記酸素富化膜に空気を導く吸気ファンを備えた酸素富化装置と、前記酸素富化装置で発生する気体を吸引し前記風呂回路に混入させる真空ポンプの酸素供給装置と、前記真空ポンプの停止時間を測定するタイマー手段からなり、タイマー手段が所定時間以上を計測すると前記真空ポンプを一定時間強制的に駆動させる構成としたものである。
【０００７】
また、本発明の貯湯式温水器は、前記酸素供給装置からなり、風呂運転開始時に前記真空ポンプを一定時間強制的に駆動させる構成としたものである。
【発明の効果】
【０００８】
本発明の貯湯式温水器は、酸素供給運転時以外にも真空ポンプを定期的に駆動するので、酸素供給運転を長期間使用しない場合でも真空ポンプが固着を防ぐことができ、酸素供給運転時には真空ポンプが支障なく起動し、真空ポンプの起動不能による酸素供給運転不能を防止することが可能となるため、温水器以外の熱源を用いて酸素供給運転を行うものにおいても適用できる。
【発明を実施するための最良の形態】
【０００９】
第１の発明は、所定量の加熱水を貯湯するタンクと、前記タンク内の貯湯水を利用して浴槽水を供給する風呂管路と、外装表面に設けた空気給排口および前記給排気口より外気を導入排出する吸気ファンおよび導入外気を通過する過程で酸素を選択的に抽出する酸素富化膜を備えた酸素富化装置と、前記酸素富化装置で発生する高濃度の酸素を吸引し前記風呂管路に混入させる真空ポンプと、前記真空ポンプの停止時間を計測するタイマー手段とを備え、前記タイマー手段が計測した真空ポンプの停止時間が所定時間以上の時、前記真空ポンプを、一定時間駆動させる構成としたことを特徴とするもので、長期間酸素供給運転を使用しない場合でも真空ポンプを駆動でき、真空ポンプ内の弁等の固着を防止でき、真空ポンプの起動不能による酸素供給運転不能を防止することができる。
【００１０】
第２の発明は、所定量の加熱水を貯湯するタンクと、前記タンク内の貯湯水を利用して浴槽水を供給する風呂管路と、外装表面に設けた空気給排口および前記給排気口より外気を導入排出する吸気ファンおよび導入外気を通過する過程で酸素を選択的に抽出する酸素富化膜を備えた酸素富化装置と、前記酸素富化装置で発生する高濃度の酸素を吸引し前記風呂管路に混入させる真空ポンプとを備え、前記真空ポンプは、風呂湯張り時に一定時間駆動させる構成としたことを特徴とするもので、風呂運転開始時に真空ポンプを一定時間駆動させるため、長期間酸素供給運転を使用しない場合でも風呂運転が使用された時点で真空ポンプを駆動でき、真空ポンプ内の弁等の固着を防止でき、真空ポンプの起動不能による酸素供給運転不能を防止することができる。また、風呂運転時に真空ポンプを駆動するので風呂運転時の水の音等の騒音と真空ポンプの駆動音が相殺される効果がある。
【００１１】
第３の発明は、浴槽に水が残っている場合に、真空ポンプの一定時間駆動を行なわないので、真空ポンプ駆動による気泡が浴槽に発生しない。使用者が酸素供給運転を使用していないのに気泡が発生し故障とご判断されるのを防ぐことができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における貯湯式温水器の構成図である。
【００１４】
図において、貯湯タンク１は加熱された湯を貯湯しており、貯湯タンク１内に加熱手段としてヒーターを設けるものや、貯湯タンク１外部にヒートポンプサイクルを熱源としたヒートポンプ熱源機や電気ヒーター、ガス燃焼、石油燃焼などの熱源機を接続するものなどで構成される。貯湯タンク１に貯湯された湯はカランからの給湯や、風呂への給湯に使用される。
【００１５】
浴槽２に高濃度酸素を供給する場合は、吸気ファン５を駆動させ酸素富化膜４に大量の空気を導き、酸素富化膜４に接続された真空ポンプ７を駆動することにより酸素富化膜４を通過する空気から酸素だけを吸引し風呂管路３に混入させることで、浴槽２に高濃度酸素泡を放出し酸素供給運転を行う。
【００１６】
酸素供給運転が停止すると、タイマー手段８は時間をカウントし所定時間経過すると、３０秒間真空ポンプ７を駆動してその後停止する。これにより真空ポンプ７内の潤滑油が弁等可動部に行き渡り弁の固着を防止できる。
【００１７】
カウントする所定時間は、例えば１日、１週間等真空ポンプを駆動しなくても内部の弁等が固着しない時間に設定する。また、真空ポンプを駆動する時間は、弁等の固着を防止できる最低時間でカツ耐久性等の問題が起こらない比較的短い時間に設定する。
【００１８】
タイマー手段が所定時間を計測する前に再度酸素供給運転を行なわれた場合は、計測を停止し再度真空ポンプが停止した期間を計測する。
【００１９】
したがって、長期間酸素供給運転を使用しない場合でも風呂運転を行えば使用者が意識することなく真空ポンプの固着防止が行なえ、酸素供給運転をいつでも確実に行なうことができる。
【００２０】
（実施の形態２）
図１を用いて実施の形態１で述べた部分と同じ部分は説明を省略し、異なる部分のみを説明する。
【００２１】
使用者が風呂運転を開始させると、３０秒間真空ポンプ７を駆動してその後停止する。これにより真空ポンプ７内の潤滑油が弁等可動部に行き渡り弁の固着を防止できる。また、タイマー手段も必要なく簡単に真空ポンプ７の固着防止ができる。
【００２２】
（実施の形態３）
図１を用いて実施の形態１または２で述べた部分と同じ部分は説明を省略し、異なる部分のみを説明する。実施の形態１または２において、３０秒間の真空ポンプ７の駆動を行なう前に浴槽の残水の有無を検出し、残水ありの場合には真空ポンプの駆動を行なわない。これにより、使用者が気泡を見て故障と誤認識することが防止できる。
【産業上の利用可能性】
【００２３】
以上のように本発明に係る貯湯式温水器は、真空ポンプの固着防止が行なえ、必要な時酸素供給運転を提供できる。深夜電力や時間帯別料金制度に基づいて供給される電力を用いて湯を沸き上げる貯湯式温水器に限らず、ガス、石油、太陽熱等を用いて高温水を貯湯する機器に酸素供給機能をつけた機器にも適用できる。
【図面の簡単な説明】
【００２４】
【図１】本発明の実施の形態１における貯湯式温水器の構成図
【図２】従来の貯湯式温水器の構成図
【符号の説明】
【００２５】
１  タンク
２  浴槽
３  風呂管路
４  酸素富化膜
５  吸気ファン
５ａ  給気口
５ｂ  排気口
６  酸素富化装置
７  真空ポンプ
８  タイマー手段
【図１】
2005265368.tif 000003
【図２】
2005265368.tif 000004